(57)【要約】【課題】伝熱流路群へ冷媒をより均等に分配できるようにして熱交換ムラを抑制し熱交換効率を高めた熱交換器及びそれを用いた省エネ性の高い冷凍システムの提供。【解決手段】外部から流体を導入し排出するための一対のヘッダ流路と、前記一対のヘッダ流路の間に設けた多数の冷媒流路７と、前記ヘッダ流路からの冷媒を前記冷媒流路７に流す連絡流路１１とを備え、上記ヘッダ流路のうち上流ヘッダ流路８は水平方向に配置するとともに、前記冷媒流路７に冷媒を流す連絡流路１１はその開口１４を上流ヘッダ流路８の下部に接続して開口させた構成としてある。これにより、冷媒流路には上流ヘッダ流からその長手方向全域にわたって同じ状態の冷媒、すなわち液冷媒が流れるようになり、冷媒流路への冷媒をより均一に分配でき、熱交換ムラを抑制し熱交換効率を高めた熱交換器とすることができる。【選択図】図７
2019163865.tif 000002
【特許請求の範囲】
【請求項１】
外部から流体を導入し排出するための一対のヘッダ流路と、前記一対のヘッダ流路の間に設けた多数の伝熱流路と、前記ヘッダ流路からの冷媒を前記伝熱流路に流す連絡流路とを備え、上記伝熱流路に冷媒を流す連絡流路はその開口をヘッダ流路の下部に接続して開口させた熱交換器。
【請求項２】
連絡流路はヘッダ流路の下部と上部の少なくとも二か所に開口させ、前記ヘッダ流路の下部と上部からの冷媒を合流させて伝熱流路に流す構成とした請求項１の熱交換器。
【請求項３】
伝熱流路は複数並設するとともに前記複数の伝熱流路は分岐流路を介して連絡流路につないだ構成とした請求項１または２記載の熱交換器。
【請求項４】
冷凍サイクルを構成する熱交換器を前記請求項１〜第３のいずれか１項に記載の熱交換器とした冷凍システム。
【発明の詳細な説明】
【技術分野】
【０００１】
本発明は熱交換器及びそれを用いた冷凍システムに関し、特に、一対のヘッダ流路の間を多数の伝熱流路で接続したプレートフィン積層型の熱交換器及びそれを持つ冷凍システムに関する。
【背景技術】
【０００２】
一般に空気調和機は、圧縮機によって圧縮した冷媒を凝縮器や蒸発器等の熱交換器に循環させ、被熱交換流体と熱交換させて冷房もしくは暖房を行うが、前記熱交換器の熱交換効率によって空気調和機としての性能や省エネ性が大きく左右される。従って、熱交換器は高効率化が強く求められている。
【０００３】
このような中にあって、冷凍システムの熱交換器は、一般的には、フィン群に伝熱管を貫通させて構成したフィンチューブ型熱交換器が用いられており、その伝熱管の細径化を図って熱交換効率の向上及び小型化が進められている。
【０００４】
しかしながら、上記伝熱管の細径化には限度があるため、熱交換効率の向上及び小型化は限界に近づきつつある。
【０００５】
一方、熱エネルギーを交換するために使用される熱交換器の中には、流路を有するプレートフィンを積層して構成したプレートフィン積層型熱交換器が知られている。
【０００６】
このプレートフィン積層型熱交換器は、プレートフィンの中に形成された流路を流れる流体と、積層されたプレートフィンの間を流れる第２流体との間で熱交換を行うもので、車両用の空気調和機などにおいて広く用いられている（特許文献１参照）。
【０００７】
図１４、図１５は上記特許文献１記載のプレートフィン積層型熱交換器を示し、この熱交換器１００は、入口側のヘッダ流路１０１及び出口側のヘッダ流路１０２とこれらの間を接続する伝熱流路１０３を設けたプレートフィン１０４を多数積層して構成してある。
【先行技術文献】
【特許文献】
【０００８】
【特許文献１】登録実用新案第３１９２７１９号公報
【発明の概要】
【発明が解決しようとする課題】
【０００９】
上記プレートフィン積層型熱交換器は伝熱流路１０３を凹条溝によって形成することができるのでフィンチューブ型熱交換器の伝熱管に比べさらに細くでき、かつ、その結果として、伝熱流路１０３の数、すなわちパス数を多くすることができ、高効率な熱交換器とすることができる。
【００１０】
そこで、出願人は上記構成のプレートフィン積層型熱交換器を家庭用の空気調和機に組み込んで使用することを試みている。
【００１１】
図１２は出願人が試みているプレートフィン積層型熱交換器のヘッダ流路から伝熱流路への冷媒の流れを示す説明図、図１３は同プレートフィン積層型熱交換器を構成するプレートフィンのヘッダ流路部分における冷媒の流れ状態を示す説明図である。
【００１２】
上記構成のプレートフィン積層型熱交換器は、蒸発器として使用している時、ヘッダ流路２０１に流入する冷媒が気液二相状態となっており、ヘッダ流路２０１内の冷媒を多数の伝熱流路２０３全体に均一に分配することが難しい。
【００１３】
これには色々な理由が考えられるが、その一つに次のようなものがあると思われる。すなわち、プレートフィン積層型熱交換器は、そのヘッダ流路２０１部分における冷媒が図１２の実線Ｘで示すように波状流または層状流を呈し、入口側のヘッダ流路２０１内の上部には主に気状態の冷媒が、また下部には主に液状態の冷媒が流れていると思われる。そして、図１２に示すヘッダ流路２０１からの冷媒を伝熱流路２０３へと流す連絡流路２０５（図１３参照）の開口２０６の位置Ｙが、実践Ｘの上方或いは下方、つまり連絡流路２０５の開口２０６の位置が気状態となったり液状態となったりする。その結果、伝熱流路２０３には気冷媒が多く流れる部分（図１２に示す伝熱流路２０３のうち白色部分）と液冷媒が多く流れる部分（同図１２に示す伝熱流路２０３のうち灰色部分）とが生じ、伝熱流路２０３群に冷媒を均一に分配できなくなる、と推測されるのである。
【００１４】
以上のように、従来のプレートフィン積層型熱交換器は、伝熱流路群へ冷媒を均一に分配することが難しく、伝熱流路での熱交換に熱交換ムラが生じ、伝熱流路の細径化とパス数の増加による熱交換効率の向上効果を十分生かしきれないという課題があった。
【００１５】
本発明はこのような点に鑑み鋭意検討してなしたもので、伝熱流路群へ冷媒をより均等に分配できるようにして熱交換ムラを抑制し熱交換効率を高めた熱交換器及びそれを用いた省エネ性の高い冷凍システムの提供を目的としたものである。
【課題を解決するための手段】
【００１６】
本発明は、上記目的を達成するため、伝熱流路に冷媒を流す連絡流路の開口をヘッダ流路の下部に開口させた構成としてある。
【００１７】
これにより、伝熱流路にはヘッダ流路の長手方向全域にわたって同じ状態の冷媒、例えば液冷媒が流れるようになり、伝熱流路への冷媒をより均一に分配でき、熱交換ムラを抑制し熱交換効率を高めた熱交換器とすることができる。
【発明の効果】
【００１８】
本発明は、上記構成により、伝熱流路群へ冷媒をより均等に分配でき、熱交換ムラを抑制した熱交換効率の高い熱交換器及びそれを用いた省エネ性の高い冷凍システムを提供することができる。
【図面の簡単な説明】
【００１９】
【図１】本発明の実施の形態１における熱交換器の外観を示す斜視図
【図２】同熱交換器を分離した状態で示す分解斜視図
【図３】同熱交換器を構成するプレートフィンの平面図
【図４】同熱交換器を構成するプレートフィンの構成の一部を拡大して示す分解図
【図５】同熱交換器におけるヘッダ流路部分を示す斜視図
【図６】同熱交換器のヘッダ流路から冷媒流路への冷媒の流れを示す説明図
【図７】同熱交換器のヘッダ流路部分における冷媒の流れ状態を示す説明図
【図８】本発明の実施の形態２における熱交換器のヘッダ流路から冷媒流路への冷媒の流れを示す説明図
【図９】同熱交換器のヘッダ流路部分における冷媒の流れ状態を示す説明図
【図１０】本発明の熱交換器を用いた実施の形態２における冷凍システムの一例として示す空気調和機の冷凍サイクル図
【図１１】同空気調和機の概略断面図
【図１２】本発明以前のプレートフィン積層型熱交換器におけるヘッダ流路から冷媒流路への冷媒流れを示す説明図
【図１３】同プレートフィン積層型熱交換器のヘッダ流路部分における冷媒の流れ状態を示す説明図
【図１４】従来のプレートフィン積層型熱交換器の断面図
【図１５】同従来のプレートフィン積層型熱交換器におけるプレートフィンの平面図
【発明を実施するための形態】
【００２０】
第１の発明は、熱交換機であり、この熱交換器は、外部から流体を導入し排出するための一対のヘッダ流路と、前記一対のヘッダ流路の間に設けた複数の伝熱流路と、前記ヘッダ流路からの冷媒を前記伝熱流路に流す連絡流路とを備え、上記伝熱流路に冷媒を流す連絡流路はその開口をヘッダ流路の下部に接続して開口させた構成としてある。
【００２１】
これにより、ヘッダ流路内で気液冷媒が波状もしくは層状となっていても主にヘッダ流路下部に位置する液冷媒がヘッダ流路の長手方向全域から伝熱流路へと分流するようになり、伝熱流路への冷媒の分流を均一化できて熱交換ムラを抑制し熱交換効率を高めた熱交換器とすることができる。
【００２２】
第２の発明は、第１の発明において、前記連絡流路はヘッダ流路の下部と上部の少なくとも二か所に開口させ、前記ヘッダ流路の下部と上部からの冷媒を合流させて伝熱流路に流す構成としてある。
【００２３】
これにより、伝熱流路内の下部の液冷媒は下部開口から連絡流路に流れるとともに上部の気冷媒は上部開口から連絡流路に流れ、これらが連絡流路で合流して伝熱流路へと流れるので、伝熱流路に流れる冷媒の状態はヘッダ流路の長手方向全域にわたって気液が混合した略同じ状態のものとなってより均等な分流が可能となり、伝熱流路群での熱交換ムラを抑制し熱交換効率の高い熱交換器とすることができる。特に本発明の場合は、気冷媒と液冷媒が必ず混合して伝熱流路に供給されるようになるので、伝熱流路に流れる冷媒の状態をより確実に同じ状態とすることができ、熱交換効率をより高いレベルまで高めることができる。
【００２４】
第３の発明は、第１または第２の発明において、前記伝熱流路は複数並設するとともに前記複数の伝熱流路は分岐流路を介して連絡流路につないだ構成としてある。
【００２５】
これにより、分岐流路の分岐数を増やして伝熱流路数、すなわちパス数を増加させ熱交換効率を高めることができ、しかもヘッダ流路の長手方向略全域から取り込んだ略同等状態の冷媒を分岐流路によって各伝熱流路に分岐するので、パス数増による熱交換効率の向上効果を生かして更に高い熱交換効率を持つ熱交換器とすることができる。
【００２６】
第４の発明は、冷凍システムであり、この冷凍システムは冷凍サイクルを構成する熱交換器を前記第１〜第３のいずれかの発明に記載の熱交換器としたものである。
【００２７】
これにより、この冷凍システムは、熱交換器の熱交換効率が高いので、省エネ性の高い高性能な冷凍システムとすることができる。
【００２８】
以下、本発明の実施の形態について、添付の図面を参照しながら説明する。
【００２９】
なお、本開示の熱交換器は、以下の実施形態に記載した熱交換器の構成に限定されるものではなく、以下の実施形態において説明する技術的思想と同等の熱交換器の構成を含む
ものである。
【００３０】
（実施の形態１）
図１は本発明の実施の形態１における熱交換器の外観を示す斜視図、図２は同熱交換器を分離した状態で示す分解斜視図である。
【００３１】
図１、図２において、本実施形態の熱交換器は、複数のプレートフィン２と、プレートフィン２の積層方向の両側（図１では左側及び右側）に配したエンドプレート３ａ、３ｂとを備え、前記両側のエンドプレート３ａ、３ｂをボルト等の締結手段３ｃにより連結固定して構成してあり、蒸発器として用いる場合には入口となり凝縮器として用いる場合は出口となる管４及びその逆となる管５とを有している。なお、本実施の形態では、熱交換器を蒸発器として使用する場合を例にして説明するので、管４を上流管４、管５を下流管５として説明する。
【００３２】
上記プレートフィン２を積層して構成した熱交換器１は、例えば冷凍システムの一つである空気調和機等に搭載して使用するが、その際熱交換器１は傾斜状態に設置することになる。そのためこの熱交換器１を構成するプレートフィン２は図３に示すように菱形形状としてある。
【００３３】
以下、上記プレートフィン２の構成を詳述する。
【００３４】
図３は熱交換器を構成するプレートフィンの平面図、図４は同プレートフィンの構成の一部を拡大して示す分解図、図５は同プレートフィンを積層して構成した熱交換器のヘッダ流路部分を示す斜視図、図６は同熱交換器のヘッダ流路から冷媒流路への冷媒の流れを示す説明図、図７は同熱交換器のヘッダ流路部分における冷媒の流れ状態を示す説明図である。
【００３５】
図３〜図７において、上記プレートフィン２は、図３に示すように、複数の並行した伝熱流路（以下、冷媒流路と称す）７とこれに繋がり蒸発器として用いる場合には入口となり凝縮器として用いる場合は出口となるヘッダ流路８（以下、上流ヘッダ流路８と称す）及びその逆となるヘッダ流路９（以下、下流ヘッダ流路９と称す）を形成した一対の板状部材２ａ、２ｂ（図４参照）を向い合せにロウ付け接合して構成してあり、複数の冷媒流路７は略Ｕ字状に形成されていてこれに繋がる下流ヘッダ流路９と上流ヘッダ流路８とが一端部側に纏まった形となっている。
【００３６】
そして、上記構成のプレートフィン２は、図５に示すように多数積層して熱交換器の主体をなすプレートフィン積層体６を構成しており、上記上流ヘッダ流路８及び下流ヘッダ流路９が図１に示すように水平ヘッダとなるような形で使用され、各プレートフィン２同士の間には当該プレートフィン２の長辺両端部及び冷媒流路７間に適宜設けた複数の突起１０（図４参照）によって第２流体である空気が流れる隙間を形成している。
【００３７】
ここで、上記プレートフィン２に設けた上流ヘッダ流路８及び下流ヘッダ流路９は、図４に示すように、そのヘッダ流路周りから連絡流路１１が導出形成してある。そして、前記連絡流路１１は分岐流路１２を介して前記冷媒流路７に接続してある。つまり、上流ヘッダ流路８及び下流ヘッダ流路９と冷媒流路７との間に連絡流路１１と分岐流路１２を設けることによって、冷媒流路７の数、すなわちパス数を多くし、かつ、多くした冷媒流路７に円滑に冷媒を流すことができるようにしてある。
【００３８】
そして、上記冷媒流路７は板状部材２ａ、２ｂに凹状溝によって形成してあり、容易に細径化できるようになっている。
【００３９】
また、上記上流ヘッダ流路８及び下流ヘッダ流路９のうち、蒸発器として使用するときに入り口側となる上流ヘッダ流路８に設けた連絡流路１１は、図７に示すように、その開口１４を上流ヘッダ流路８の下部に設けてある。この実施の形態では上記開口１４は上流ヘッダ流路８の上端からヘッダ流路内径の１／３より下方となる部分に位置するように設けてある。
【００４０】
また、冷媒流路７のうち上流ヘッダ流路８に繋がる上流ヘッダ流路側冷媒流路７ａと下流ヘッダ流路９に繋がる下流ヘッダ流路側冷媒流路７ｂとの間にはこれら両者間の熱移動を防止すべくスリット溝１５（図４参照）が形成してある。
【００４１】
さらにこの例では、上記下流ヘッダ流路側冷媒流路７ｂは本数を多くし図４に示すように下流ヘッダ流路９の連絡流路１１と対向する部分は冷媒流路のない無孔部１６として凝縮条件使用時に入口側となる下流ヘッダ流路９から各下流ヘッダ流路側冷媒流路７ｂへと流れる冷媒が無孔部１６の壁部に衝突して各下流ヘッダ流路側冷媒流路７ｂへ均等に流れるように構成してある。
【００４２】
以上のように構成した熱交換ユニットについて、次にその作用効果を説明する。
【００４３】
上記のように構成した本実施形態のプレートフィン積層型熱交換器は、上流ヘッダ流路８に流入した冷媒がプレートフィン積層体６の各プレートフィン２の内部の冷媒流路７群を並行に流れＵターンして下流ヘッダ流路９から下流管５を通して排出される。
【００４４】
一方、空気は、プレートフィン積層体６を構成するプレートフィン２の積層間に形成された隙間を通り抜ける。これにより第１流体である冷媒と第２流体である空気との熱交換が行われる。
【００４５】
ここで、上記熱交換器は、外部から冷媒が流入する上流ヘッダ流路８が水平ヘッダとなっていて、流路内の上部に主に気状態の冷媒が、また下部に主に液状態の冷媒が流がれていても、冷媒を冷媒流路７に案内する連絡流路１１の開口１４が図７に示すように流路下部に接続してあるから、連絡流路１１の開口１４は図６の破線Ｘで示す位置となって同図の実線Ｙで示すヘッダ流路内の液冷媒液面より下方に位置するようになる。
【００４６】
したがって、連絡流路１１へは上流ヘッダ流路８の下部を流動している液状態の冷媒が流れていくことになる。そして、この液状態の冷媒が分岐流路１２を介して複数の冷媒流路７へと流れていく。
【００４７】
すなわち、上流ヘッダ流路８に開口する冷媒流路７には上流ヘッダ流路８からその長手方向全域にわたって同じ状態の冷媒が流れるようになり、冷媒流路７への冷媒をより均一に分配でき、熱交換ムラを抑制し熱交換効率を高めた熱交換器とすることができる。
【００４８】
特に本実施の形態では上記連絡流路１１は、その開口１４を上流ヘッダ流路８の上端から流路内径の１／３より下方部分に位置させた構成としてある。
【００４９】
これにより、連絡流路１１には上流ヘッダ流路８の長手方向全域にわたってほぼ確実に液冷媒が流れるようになり、冷媒流路７へ冷媒の均一分配の確率を上げ、熱交換ムラを抑制し高い熱交換効率を発揮する熱交換器とすることができる。
【００５０】
すなわち、本発明者らが実験したところによると、プレートフィン積層型熱交換器のヘッダ流路に流入する気液二相冷媒の乾き度は最大１８％以下が普通であり、この乾き度１
８％以下であればヘッダ流路内で液冷媒の高さはヘッダ流路の上端から流路内径の１／３より下方部分の範囲に収まる。したがって、冷媒流路７に冷媒を流す連絡流路１１の開口１４を上流ヘッダ流路８の上端から流路内径の１／３より下方部分とすれば、冷媒流路７に繋がる連絡流路１１の開口１４は液冷媒部分となり、流速の速い気状態の冷媒が液状態の冷媒中に混入した液リッチ状態の混合冷媒となって連絡流路１１から冷媒流路７へと流れるようになる。
【００５１】
これにより、冷媒流路７に流れる冷媒の状態は上流ヘッダ流路８の長手方向全域にわたって略同じ状態のものとなってその分流がより均等なものとなり、冷媒流路７群での熱交換ムラを抑制し熱交換効率の高い熱交換器とすることができた。
【００５２】
また、本実施の形態では、前記冷媒流路７は複数並設するとともに前記複数の冷媒流路７は分岐流路１２を介して連絡流路１１につないだ構成としてある。
【００５３】
これにより、冷媒流路７の数、すなわちパス数を増加させて熱交換効率を高めることができ、しかも上流ヘッダ流路８の長手方向略全域から取り込んだ略同等状態の冷媒を分岐流路１２によって各冷媒流路７に分配するので、パス数増による熱交換効率の向上効果を生かして更に高い熱交換効率の熱交換器とすることができる。
【００５４】
（実施の形態２）
図８は本発明の実施の形態２における熱交換器のヘッダ流路から冷媒流路への冷媒の流れを示す説明図、図９は同熱交換器のヘッダ流路部分における冷媒の流れ状態を示す説明図である。
【００５５】
図８、図９において、この実施の形態では、連絡流路１１は上流ヘッダ流路８への接続部側を少なくとも二つに分岐して上流ヘッダ流路８の下部及び上部の二か所に開口１４ａ、１４ｂさせた構成としてある。その他の構成は前記実施の形態１と同様であり、説明は省略する。
【００５６】
上記のように構成した本実施形態の熱交換器は、連絡流路１１の下部の開口１４ａが図８の破線Ｘ位置、上部の開口１４ｂが同図の破線ＸＸ位置に位置する。すなわち、下部の開口１４ａは液冷媒中に開口し、上部の開口１４ｂは気冷媒中に開口することになる。
【００５７】
したがって上流ヘッダ流路８内の冷媒は下部の開口１４ａから液冷媒が、そして上部の開口１４ｂから気冷媒が連絡流路１１に流れ、これらの気液両冷媒が連絡流路１１で合流して冷媒流路７へと流れることになる。よって、冷媒流路７に流れる冷媒の状態は必ず気状態の冷媒と液状態の冷媒が混合した同じ状態のものとなり、より均等な分流が可能となる。そして、冷媒流路７群での熱交換ムラを抑制し熱交換効率をより高いレベルまで高めることができる。
【００５８】
なお、本実施の形態においても、前記冷媒流路７は複数並設するとともに前記複数の冷媒流路７は分岐流路１２を介して連絡流路１１につないだ構成としてある。
【００５９】
これにより、冷媒流路７の数、すなわちパス数を増加させて熱交換効率を高めることができ、しかも上流ヘッダ流路８の長手方向略全域から取り込んだ略同等状態の冷媒を分岐流路１２によって各冷媒流路７に分岐するので、パス数増による熱交換効率の向上効果を生かして更に高い熱交換効率を持つ熱交換器とすることができる。
【００６０】
（実施の形態３）
本実施の形態３は、先に示した実施の形態１、２におけるいずれかの熱交換器を用いて
構成した冷凍システムである。
【００６１】
図１０は冷凍システムの一例として示す空気調和機の冷凍サイクル図、図１１は同空気調和機の室内機を示す概略断面図である。
【００６２】
図１０、図１１において、この空気調和装置は、室外機５１と、室外機５１に接続された室内機５２から構成されている。室外機５１には、冷媒を圧縮する圧縮機５３、冷房暖房運転時の冷媒回路を切り替える四方弁５４、冷媒と外気の熱を交換する室外熱交換器５５、冷媒を減圧する減圧器５６、室外送風機５９が配設されている。また、室内機５２には、冷媒と室内空気の熱を交換する室内熱交換器５７と、室内送風機５８とが配設されている。そして、前記圧縮機５３、四方弁５４、室内熱交換器５７、減圧器５６、室外熱交換器５５を冷媒回路で連結してヒートポンプ式冷凍サイクルを形成している。
【００６３】
本実施形態による冷媒回路には、テトラフルオロプロペンまたはトリフルオロプロペン、ジフルオロメタンまたはペンタフルオロエタンまたはテトラフルオロエタンを、単体、もしくはそれぞれ２成分混合または３成分混合した冷媒を使用している。
【００６４】
上記空気調和機は、冷房運転時には、四方弁５４を圧縮機５３の吐出側と室外熱交換器５５とが連通するように切り換える。これにより、圧縮機５３によって圧縮された冷媒は高温高圧の冷媒となって四方弁５４を通って室外熱交換器５５に送られる。そして、外気と熱交換して放熱し、高圧の液冷媒となり、減圧器５６に送られる。減圧器５６では減圧されて低温低圧の二相冷媒となり、室内機５２に送られる。室内機５２では、冷媒は室内熱交換器５７に入り室内空気と熱交換して吸熱し、蒸発気化して低温のガス冷媒となる。この時室内空気は冷却されて室内を冷房する。さらに冷媒は室外機５１に戻り、四方弁５４を経由して圧縮機５３に戻される。
【００６５】
暖房運転時には、四方弁５４を圧縮機５３の吐出側と室内機５２とが連通するように切り換える。これにより、圧縮機５３によって圧縮された冷媒は高温高圧の冷媒となって四方弁５４を通り、室内機５２に送られる。高温高圧の冷媒は室内熱交換器５７に入り、室内空気と熱交換して放熱し、冷却され高圧の液冷媒となる。この時、室内空気は加熱されて室内を暖房する。その後、冷媒は減圧器５６に送られ、減圧器５６において減圧されて低温低圧の二相冷媒となり、室外熱交換器５５に送られて外気と熱交換して蒸発気化し、四方弁５４を経由して圧縮機５３へ戻される。
【００６６】
上記のように構成された空気調和機は、その室外熱交換器５５或いは室内熱交換器５７の一方もしくは双方に前記各実施の形態で示した熱交換器を使用することにより、高い熱交換効率を発揮することになり、省エネ性の高い高性能な冷凍システムとすることができる。
【００６７】
以上、本発明に係る熱交換器およびそれを用いた冷凍システムについて、上記実施の形態を用いて説明したが、本発明は、これに限定されるものではない。例えば、本実施の形態では、熱交換器を用いた冷凍システムとして空気調和機を例にして説明したが、冷蔵庫やショーケース、ヒートポンプ給湯器等のような冷凍システムであってもよいものである。つまり、今回開示した実施の形態はすべての点で例示であって制限的なものではないと考えられるべきであり、本発明の範囲は上記した説明ではなくて特許請求の範囲によって示され、特許請求の範囲と均等の意味及び範囲内でのすべての変更が含まれることが意図される。
【産業上の利用可能性】
【００６８】
本発明は、伝熱流路群へ冷媒をより均等に分配でき、熱交換ムラを抑制した熱交換効率
の高い熱交換器及びそれを用いた省エネ性の高い冷凍システムを提供することができる。よって、家庭用及び業務用エアコン等に用いる熱交換器や各種冷凍機器等に幅広く利用でき、その産業的価値は大なるものがある。
【符号の説明】
【００６９】
１  熱交換器
２  プレートフィン
２ａ  板状部材
２ｂ  板状部材
３ａ、３ｂ  エンドプレート
３ｃ  締結手段
４  上流管（管）
５  下流管（管）
６  プレートフィン積層体
７  伝熱流路（冷媒流路）
７ａ  上流ヘッダ流路側冷媒流路
７ｂ  下流ヘッダ流路側冷媒流路
８  上流ヘッダ流路
９  下流ヘッダ流路
１０  突起
１１  連絡流路
１２  分岐流路
１４、１４ａ、１４ｂ  開口
１５  スリット溝
１６  無孔部
５１  室外機
５２  室内機
５３  圧縮機
５４  四方弁
５５  室外熱交換器
５６  減圧器
５７  室内熱交換器
５８  室内送風機
【図１】
2019163865.tif 000003
【図２】
2019163865.tif 000004
【図３】
2019163865.tif 000005
【図４】
2019163865.tif 000006
【図５】
2019163865.tif 000007
【図６】
2019163865.tif 000008
【図７】
2019163865.tif 000009
【図８】
2019163865.tif 000010
【図９】
2019163865.tif 000011
【図１０】
2019163865.tif 000012
【図１１】
2019163865.tif 000013
【図１２】
2019163865.tif 000014
【図１３】
2019163865.tif 000015
【図１４】
2019163865.tif 000016
【図１５】
2019163865.tif 000017